(57)【要約】【課題】  りゅうず操作を軽い操作力で行うことができ、かつ、回転ベゼルが勝手に回ってもりゅうずが回らない回転ベゼル付時計を提供する。【解決手段】  時計ケース１３に回転ベゼル１６を備え、この回転ベゼル１６の回転に連動してりゅうず３０を回転させる歯車５０，６０からなる回転伝達機構を備えた回転ベゼル付時計において、回転ベゼル１６を時計ケース１３の厚さ方向に移動自在に設けると共に、回転ベゼル１６をりゅうず３０から離れる方向に付勢するばね４８を備え、このばね４８の付勢力に抗して回転ベゼル１６が押し下げられた場合、上記回転伝達機構による回転伝達を可能とした。【選択図】      図２
2006053104.tif 000002
【特許請求の範囲】
【請求項１】
時計ケースに回転ベゼルを備え、この回転ベゼルの回転に連動してりゅうずを回転させる回転伝達機構を備えた回転ベゼル付時計において、
前記回転ベゼルを前記時計ケースの厚さ方向に移動自在に設けると共に、前記回転ベゼルを前記りゅうずから離れる方向に付勢する付勢手段を備え、
この付勢手段の付勢力に抗して前記回転ベゼルが押し下げられた場合、前記回転伝達機構による回転伝達を可能としたことを特徴とする回転ベゼル付時計。
【請求項２】
前記回転伝達機構は、前記回転ベゼルと前記りゅうずとに、あるいは、前記回転ベゼルと前記りゅうずが連結された巻真とにそれぞれ設けられた歯車であることを特徴とする請求項１記載の回転ベゼル付時計。
【請求項３】
前記付勢手段は、前記回転ベゼルに設けられ、前記時計ケースの厚さ方向に移動自在なピンと、このピンを前記時計ケースに押し当てる付勢部材とを有し、
前記時計ケースには、前記ピンが押し当たる領域に、前記回転ベゼルが所定角度回転する毎に前記ピンが嵌る複数の凹部が設けられていることを特徴とする請求項１又は２記載の回転ベゼル付時計。
【請求項４】
前記付勢手段は、前記時計ケースに設けられ、前記時計ケースの厚さ方向に移動自在なピンと、このピンを前記回転ベゼルを押し当てる付勢部材とを有し、
前記回転ベゼルには、前記ピンが押し当たる領域に、前記回転ベゼルが所定角度回転する毎に前記ピンが嵌る複数の凹部が設けられていることを特徴とする請求項１又は２記載の回転ベゼル付時計。
【請求項５】
前記付勢手段は、前記時計ケースに設けられて前記回転ベゼルを押し上げる部材であり、
前記回転ベゼルには、前記付勢部材が押し当たる領域に、前記回転ベゼルが所定角度回転する毎に前記付勢部材が嵌る複数の凹部が設けられていることを特徴とする請求項１又は２記載の回転ベゼル付時計。
【請求項６】
前記回転ベゼルの上面内周側に段差部を設け、この段差部に、前記時計ケースに固定されるリング状の固定ベゼルを配置したことを特徴とする請求項１乃至５のいずれかに記載の回転ベゼル付時計。
【請求項７】
前記回転ベゼルの上面内周側に段差部を設け、この段差部に、前記時計ケースに回転自在に保持される第２の回転ベゼルと、前記第２の回転ベゼルを所定回転角度毎にラッチするラッチ機構とを配置したことを特徴とする請求項１又乃至５のいずれかに記載の回転ベゼル付時計。
【発明の詳細な説明】
【技術分野】
【０００１】
本発明は、りゅうずを回す回転ベゼルを備えた時計に関する。
【背景技術】
【０００２】
従来より、りゅうずを回す回転ベゼルを備えた時計が知られている（例えば、特許文献１、２）。この種の時計は、りゅうずに外歯を設けると共に、この外歯と噛み合う内歯を回転ベゼルに設けることにより、回転ベゼルを回すとりゅうずが回るように構成されている。これにより、回転ベゼルを回して時刻修正や日付修正が可能になっている。
【特許文献１】実開平３−１３０５８９号公報
【特許文献２】米国特許第６０１０２４１号明細書
【発明の開示】
【発明が解決しようとする課題】
【０００３】
しかしながら、従来の構成では、りゅうずを回すと回転ベゼルも常に回るため、りゅうず操作が重くなるという問題があった。このため、実際上、りゅうず操作ができない構造であった。また、回転ベゼルが不意の外力で勝手に回ってしまった場合、常にその外力がりゅうずを介して時計用ムーブメント内の駆動車に伝達されてしまい、駆動車やりゅうずパッキンの耐久性を損ねてしまうおそれがあった。
【０００４】
本発明は、上述した事情に鑑みてなされたものであり、りゅうず操作を軽い操作力で行うことができ、かつ、回転ベゼルが勝手に回ってもりゅうずが回らない回転ベゼル付時計を提供することを目的としている。
【課題を解決するための手段】
【０００５】
上述課題を解決するため、本発明は、時計ケースに回転ベゼルを備え、この回転ベゼルの回転に連動してりゅうずを回転させる回転伝達機構を備えた時計において、前記回転ベゼルを前記時計ケースの厚さ方向に移動自在に設けると共に、前記回転ベゼルを前記りゅうずから離れる方向に付勢する付勢手段を備え、この付勢手段の付勢力に抗して回転ベゼルが押し下げられた場合、前記回転伝達機構による回転伝達を可能としたことを特徴とする。
この発明によれば、回転ベゼルを時計ケースの厚さ方向に移動自在に設けると共に、回転ベゼルをりゅうずから離れる方向に付勢する付勢手段を備え、この付勢手段の付勢力に抗して回転ベゼルが押し下げられた場合、回転伝達機構による回転伝達を可能としたため、付勢手段によって回転ベゼルとりゅうずとが離れた位置に保持され、りゅうず操作を軽い操作力で行うことができ、かつ、回転ベゼルが勝手に回ってもりゅうずが回らないようにすることができる。
【０００６】
上記発明において、前記回転伝達機構は、前記回転ベゼルと前記りゅうずとに、あるいは、前記回転ベゼルと前記りゅうずが連結された巻真とにそれぞれ設けられた歯車によって構成することが好ましい。また、前記付勢手段は、前記回転ベゼルに設けられ、前記時計ケースの厚さ方向に移動自在なピンと、このピンを前記時計ケースに押し当てる付勢部材とを有し、前記時計ケースには、前記ピンが押し当たる領域に、前記回転ベゼルが所定角度回転する毎に前記ピンが嵌る複数の凹部が設けられるように構成してもよい。このように、時計ケースに、回転ベゼルが所定角度回転する毎にピンが嵌る複数の凹部を設けることによって、回転ベゼルのラッチ機構を簡易に構成することができる。
【０００７】
また、前記付勢手段は、前記時計ケースに設けられて前記回転ベゼルを押し上げる部材であり、前記回転ベゼルには、前記付勢部材が押し当たる領域に、前記回転ベゼルが所定角度回転する毎に前記付勢部材が嵌る複数の凹部が設けられるように構成してもよい。この場合も回転ベゼルのラッチ機構を簡易に構成することができる。
【０００８】
また、前記回転ベゼルの上面内周側に段差部を設け、この段差部に、前記時計ケースに固定されるリング状の固定ベゼルを配置してもよい。また、前記回転ベゼルの上面内周側に段差部を設け、この段差部に、前記時計ケースに回転自在に保持される第２の回転ベゼルと、前記第２の回転ベゼルを所定回転角度毎にラッチするラッチ機構とを配置してもよい。このように、回転ベゼルの段差部に固定ベゼル等を配置することによって、時計の大型化を抑えることができる。
【発明の効果】
【０００９】
本発明は、回転ベゼルを時計ケースの厚さ方向に移動自在に設けると共に、回転ベゼルをりゅうずから離れる方向に付勢する付勢手段を備え、この付勢手段の付勢力に抗して回転ベゼルが押し下げられた場合、回転伝達機構による回転ベゼルからりゅうずへの回転伝達を可能としたため、りゅうず操作を軽い操作力で行うことができ、かつ、回転ベゼルが勝手に回ってもりゅうずが回らないようにすることができる。
【発明を実施するための最良の形態】
【００１０】
以下、図面を参照して本発明の実施形態を詳述する。
（１）  第１実施形態
図１は、本発明の回転ベゼル付時計の一例を示す腕時計１０の外観を示す図であり、図２は、腕時計１０の断面図である。この腕時計１０は、時計本体１１と、時計本体１１に連結された時計バンド１２とを備えて構成される。時計本体１１は、時計ケース１３を備え、時計ケース１３は、胴とも称し、ステンレス鋼、黄銅、洋白等の銅系合金、或いは、チタン、金、銀等の貴金属等の金属材料または樹脂材料で形成され、時計用ムーブメント１５を収容する。
この時計ケース１３には、時計文字板１４と、この時計文字板１４を覆う風防ガラス１８（図２）とが取り付けられ、さらに、この風防ガラス１８の周囲にリング状の回転ベゼル１６が取り付けられている。また、この時計ケース１３の裏側には裏蓋１７（図２）が取り付けられ、この時計ケース１３と裏蓋１７との間には、必要に応じて密封性や防水性を向上させるためのパッキン等のシール材が配置される。
【００１１】
時計用ムーブメント１５は、内蔵するゼンマイを巻き上げてゼンマイに蓄えられた力により筒車２０、二番車２１および四番車２２を回転駆動する機械式、或いは、水晶振動子を時間調速に用いてステッピングモータ等により上記各車２０，２１，２２を回転駆動するクオーツ式等の公知のムーブメントが適用され、暦（年，月，日、曜日等）を表示する暦表示機構を備えたものでもよい。
上記筒車２０、二番車２１および四番車２２は、時計文字板１４の中央孔１９を貫通し、当該時計文字板１４の上方に延出する。筒車２０には、時針２３が取り付けられ、二番車２１には、分針２４が取り付けられ、四番車２２には、秒針２５が取り付けられている。なお、図２においては、これら時刻表示針２３，２４，２５が３時位置にある場合を示している。
【００１２】
時計用ムーブメント１５は、巻真２７を有し、この巻真２７には、時計ケース１３の孔３１に挿通されたりゅうず３０の軸部３２が連結される。この軸部３２には、パッキン３３が取り付けられ、このパッキン３３によりりゅうず３０と孔３１との隙間からゴミや水分等が侵入しないようになっている。
このりゅうず３０を回転操作することにより、りゅうず３０が０段引きの位置（図２中α位置）では、例えば、りゅうず３０により時計用ムーブメント１５内のゼンマイの巻き上げ操作が可能となり、りゅうず３０が１段引きの位置（図２中β位置）では、りゅうず３０により時刻修正操作が可能となる。なお、時計用ムーブメント１５が暦表示機構を備える場合は、りゅうず３０が２段引きの位置に移動可能に構成され、２段引きの位置でりゅうず３０により暦修正操作が可能となる。
【００１３】
回転ベゼル１６は、風防ガラス１８の周囲に位置するリング状のベゼル部１６Ａと、このベゼル部１６Ａの図中下方に間隔を空けて配置されるピン保持部１６Ｂとを一体に備えて構成されている。ピン保持部１６Ｂには、時計ケース１３の内側に突出する環状の凸部４０が形成され、時計ケース１３には、この環状凸部４０が当接して、回転ベゼル１６を回転自在及び時計ケース１３の厚さ方向（図中Ｙ方向）に移動自在にガイドするガイド面４１が設けられている。
また、このガイド面４１の図中上方には、外周側に突出する環状の凸部（規制部）４２が形成され、この凸部４２により、回転ベゼル１６が時計ケース１３から外れないようになっている。このようにして回転ベゼル１６は、時計ケース１３に対して、回転自在かつ厚さ方向（Ｙ方向）に移動自在に保持されている。また、ピン保持部１６Ｂと時計ケース１３との間には、パッキン４３が配置され、ゴミや水分等が時計ケース１３内部に侵入しないようになっている。
【００１４】
ピン保持部１６Ｂには、時計正面側から見て等角度間隔で貫通孔４５が形成されており、この貫通孔４５には、ピン４６が挿通される。
このピン４６には、貫通孔４５から抜け落ちないように抜け止めピン４７が設けられ、このピン４６の頭とピン保持部１６Ｂとの間に、ばね（付勢部材）４８が配置されている。すなわち、回転ベゼル１６には、時計ケース１３の厚さ方向に移動自在なピン４６が設けられ、このピン４６がばね４８により時計ケース１３に押し当たる。このため、このピン４６によって回転ベゼル１６が押し上げられる。
【００１５】
また、時計ケース１３には、回転ベゼル１６を回転させた際のピン４６の移動軌跡上に所定間隔で複数の凹部４９が形成されている。このため、回転ベゼル１６が所定角度回転する毎にピン４６が凹部４９に嵌り、回転ベゼル１６がその位置に係止される。これによって、回転ベゼル１６を所定角度単位で係止させるラッチ機構が簡易に構成される。
【００１６】
この腕時計１０においては、りゅうず３０の軸部３２に歯車５０が設けられ、回転ベゼル１６の歯車５０と対向する面５１に、ラック（歯車）６０が設けられている。これら歯車５０，６０（回転伝達機構）は、回転ベゼル１６が時計正面側に位置する場合は互いに離間した位置にあり、回転ベゼル１６が時計裏面側に移動した場合に、互いに噛み合う歯車形状に形成されている。
本実施形態では、回転ベゼル１６がりゅうず３０から離れる方向に付勢されているため、回転ベゼル１６に押下力が加わっていない場合は、上記歯車５０，６０が離間した位置にある。一方、回転ベゼル１６に押下力Ｆが加わり押し下げられた場合、図３に示すように、上記歯車５０，６０が噛み合う。上記歯車５０，６０が噛み合った場合は、回転ベゼル１６の回転が歯車５０，６０からなる回転伝達機構を介してりゅうず３０に伝達され、りゅうず３０が回転ベゼル１６と一体に回転する。
【００１７】
ところで、この種の回転ベゼルを回転操作する場合、操作者は腕時計の正面側から回転ベゼルを時計ケース側に押さえつつ操作することから、回転ベゼルには押下力がある程度加わる。本実施形態では、この程度の押下力（Ｆ）が回転ベゼル１６に作用すると、上記ばね４８が縮んで、回転ベゼル１６の歯車６０とりゅうず３０の歯車５０とが噛み合う（図３）。従って、従来の回転ベゼルと略同様に回転ベゼル１６を操作すれば、回転ベゼル１６の回転に応じてりゅうず３０及び巻真３２を回転させることができる。
このように、回転ベゼル１６で巻真３２を回すことによって、りゅうず３０を摘んで回す場合よりも小さい操作力でりゅうず操作を行うことができ、高齢者等であっても簡単にりゅうず操作を行うことが可能となる。
【００１８】
また、通常時（回転ベゼル操作時以外）は、ばね４８によって回転ベゼル１６の歯車６０とりゅうず３０の歯車５０とが離れた位置に保持されるため（図２）、不意の外力で回転ベゼルが勝手に回転したとしても、りゅうず３０及び巻真３２が勝手に回ることがない。このため、不意の外力によって時計用ムーブメント１５内の駆動歯車やパッキン３３に負荷がかかることがなく、りゅうずと回転ベゼルとが常に一体に回る従来の時計に比して、時計用ムーブメント１５やパッキン３３の耐久性を向上させることができる。
【００１９】
また、りゅうず３０を摘んで回す場合も上記ばね４８によって上記歯車６０と歯車５０とが離れているため、りゅうずと回転ベゼルとが常に一体に回る従来の時計に比して、りゅうず操作の際に回転ベゼルを回す必要がない分、りゅうず操作を軽い操作力で行うことができる。
さらに、本実施形態では、回転ベゼル１６に、時計ケース１３の厚さ方向に移動自在なピン４６を設け、このピン４６をばね４８により時計ケース１３に押し当てると共に、時計ケース１３のピン４６が押し当たる領域に、上記ピン４６が嵌る凹部４９を所定間隔で設けたため、上記ピン４６及びばね４８が、回転ベゼル１６を押し上げる付勢手段として機能すると共に、回転ベゼル１６のラッチ機構を兼ねており、部品点数の削減及び腕時計１０の小型化を図ることができる。
【００２０】
（２）  第２実施形態
第２実施形態に係る腕時計１０２は、固定ベゼル７０を備えた点が異なり、この点を除いて第１実施形態に係る腕時計１０と略同様である。このため、以下、共通の部分は同一の符号を付して示し、異なる点について説明する。
図４は、第２実施形態に係る腕時計１０２の正面図であり、図５は、この腕時計１０２の断面図である。図４に示すように、この腕時計１０２の時計ケース１３には、風防ガラス１８の周囲にリング状の固定ベゼル７０が設けられている。この固定ベゼル７０には、等間隔で１〜１２までの文字や目盛りが彫り込まれており、これら文字によって時針２３が示す時刻が容易に判別可能にデザインされている。
【００２１】
図５に示すように、この腕時計１０２の回転ベゼル１６１には、上面内周側に凹み部（段差部）７１が設けられている。
この固定ベゼル７０は、内周部に雌ねじ７２が形成され、この雌ねじ７２と時計ケース１３の雄ねじ７３とを螺合することによって、この凹み部７１にわずかな隙間で時計ケース１３に固定される。
【００２２】
ところで、この種の腕時計１０２は、その外周形状の大型化や厚さの増大を最小限にすることが好ましい。本実施形態では、回転ベゼル１６１の上面内周側に凹み部７１を設け、この凹み部７１に嵌るように固定ベゼル７０を設けたことにより、上記第１実施形態の効果に加えて、上記第１実施形態に係る腕時計１０と同等の外周形状及び厚さにすることが可能となる。
【００２３】
また、風防ガラス１８の直ぐ近くに固定ベゼル７０を配置できるため、時計文字板１４の目盛りや時刻表示針２３，２４，２５と、固定ベゼル７０の文字との相対位置を近くでき、時刻が見易い落ち着いたデザインが可能となる。また、この固定ベゼル７０の裏面には、ピン４６の移動軌跡上に所定間隔で複数の凹部７５が設けられており、この凹部７５に、ピン４６の先端が嵌る。
すなわち、回転ベゼル１６１を所定角度回転する毎に、ピン４６が凹部７３に嵌り、回転ベゼル１６１が仮係止される。これによって、回転ベゼル１６１を所定角度単位で係止させるラッチ機構が簡易に構成される。
なお、凹部７５に代えて、第１実施形態と同様に、時計ケース１３に凹部４９を設けるようにしてもよい。
【００２４】
（３）  第３実施形態
第３実施形態に係る腕時計１０３は、第２の回転ベゼル８０を備えた点が異なり、この点を除いて第２実施形態に係る腕時計１０２と略同様である。このため、以下、共通の部分は同一の符号を付して示し、異なる点について説明する。
図６は、第３実施形態に係る腕時計１０３の正面図であり、図７は、この腕時計１０３の断面図である。図６に示すように、この腕時計１０３の時計ケース１３には、風防ガラス１８の周囲にリング状の回転ベゼル８０が設けられている。図７に示すように、この腕時計１０２の回転ベゼル１６１には、上面内周側に凹み部（段差部）７１が設けられ、この段差部７１には、第２の回転ベゼル８０を保持するベゼル保持部材８１が設けられている。
【００２５】
このベゼル保持部材８１は、時計ケース１３にねじで固定され、上面外周側に凹み部７１Ａを有し、この凹み部７１Ａの壁面に、第２の回転ベゼル８０が備える環状凸部４０Ａが当接して第２の回転ベゼル８０を回転自在に案内するガイド面４１Ａと、上記環状凸部４０Ａと係合して第２の回転ベゼル８０の抜け止めを行う凸部（規制部）４２Ａが形成されている。また、ベゼル保持部材８１と第２の回転ベゼル８０の間には、パッキン４３Ａが配置され、ゴミや水分等が時計ケース１３内部に侵入しないようになっている。
さらに、このベゼル保持部材８１には、第２の回転ベゼル８０の裏面と対向する位置に所定の角度間隔でクリックばね８５が固定されている。このクリックばね８５は、第２の回転ベゼル８０を上方に付勢すると共に、第２の回転ベゼル８０の裏面に等角度間隔で設けられた凹部７０Ａに嵌ると第２の回転ベゼル８０を仮係止し、これによって、第２の回転ベゼル８０を所定角度単位で仮係止するラッチ機構を構成している。
【００２６】
このように、本実施形態では、回転ベゼル１６１の上面内周側に凹み部７１を設け、この凹み部７１に、第２の回転ベゼル８０と、この第２の回転ベゼルを所定回転角度毎にラッチするラッチ機構を配置したことにより、第１実施形態の効果に加えて、２つの回転ベゼルを配置しても腕時計１０３の外周形状の大型化を抑えることができる。また、第２の回転ベゼル８０を風防ガラス１８の直ぐ近くに配置できるため、この第２の回転ベゼル８０に所定の数字や文字等を設けて、この第２の回転ベゼル８０を計算尺等に使用する際、計算尺として使い易くすることができる。
【００２７】
上述した各実施形態は、あくまで本発明の一態様に過ぎず、本発明の範囲内で任意に変形が可能である。例えば、上述した各実施形態では、回転ベゼル１６に設けたピン４６によって回転ベゼル１６を押し上げる場合について例示したが、図８Ａに示すように、時計ケース１３にパイプ９０を埋設し、このパイプ９０内に時計ケース１３の厚さ方向に移動自在なピン４６Ａを設けると共に、このピン４６Ａを回転ベゼル１６に押し当てるばね４８Ａ（付勢部材）を設けて回転ベゼル１６を押し上げるように構成してもよい。この場合、回転ベゼル１６のピン４６Ａが押し当たる領域に、回転ベゼル１６が所定角度回転する毎にピン４６Ａが嵌る複数の凹部４９Ａを設けることによって、回転ベゼル１６のラッチ機構を簡易に構成することができる。
【００２８】
また、図８Ｂに示すように、上記ピン４６，４６Ａ及びばね４８の代わりに、板ばね（付勢部材）９１を適用したり、図８Ｃに示すように、ばね以外の弾性を有する弾性部材（付勢部材）９２を適用してもよい。また、上記各実施形態では、回転ベゼルの回転に連動してりゅうずを回転させる回転伝達機構を、回転ベゼルとりゅうずとに歯車を設けて構成した場合を例示したが、回転ベゼルと巻真とに歯車を設けて構成してもよい。
【図面の簡単な説明】
【００２９】
【図１】第１実施形態に係る腕時計の外観を示す図である。
【図２】腕時計の断面図である。
【図３】腕時計の断面図である。
【図４】第２実施形態に係る腕時計の外観を示す図である。
【図５】腕時計の断面図である。
【図６】第３実施形態に係る腕時計の外観を示す図である。
【図７】腕時計の断面図である。
【図８】変形例の説明に供する図である。
【符号の説明】
【００３０】
１０，１０２，１０３…腕時計（回転ベゼル付時計），１３…時計ケース，１４…時計文字板，１６，８０，１６１…回転ベゼル，１８…風防ガラス，３０…りゅうず，３２…巻真，４６，４６Ａ…ピン，４８，４８Ａ…ばね（付勢部材），５０，６０…歯車（回転伝達機構），７０…固定ベゼル，９１…板ばね（付勢部材），９２…弾性部材（付勢部材）。
【図１】
2006053104.tif 000003
【図２】
2006053104.tif 000004
【図３】
2006053104.tif 000005
【図４】
2006053104.tif 000006
【図５】
2006053104.tif 000007
【図６】
2006053104.tif 000008
【図７】
2006053104.tif 000009
【図８】
2006053104.tif 000010